(57)【要約】      （修正有）【課題】従来、洗濯物の乾燥は、洗濯機にて洗濯脱水をして天日乾燥を行っていたが、梅雨時等は乾燥しにくく、留守がちでは急な雨降りには対応できず、また、花粉症の人は外に干せないのが実情であり、また、近年ではドラム式乾燥機や、洗濯機能と乾燥機能を持つ機種が市販されているが、消費者のニーズを満足させるものでは無かった。【解決手段】ロッカー１において、スイングドアに形成した空気流入口３と、流入する空気を加熱するために設けた加熱器４と、ロッカー１を仕切るように配設された複数のパウチング板５と、パウチング板５を貫通させて横設したハンガー吊り下げ棒６と、空気流出口７と、空気流出口７から排気するための送風機８とを備え、複数のパウチング板５には空気流入口３から空気流出口７で排気される間の空気流を上下と共に前後に蛇行させるように開口部５ａを設けたものである。【選択図】図１
0003135087.tif 000002
【実用新案登録請求の範囲】
【請求項１】
ヒンジ部を介装したスイングドアを前面に備えたロッカーにおいて、前記スイングドアの一側下方辺に形成した空気流入口と、該空気流入口から流入する空気を加熱するために設けた加熱器と、前記ロッカーのスイングドアと直交する縦方向に仕切るように間隔を有して配設された複数のパウチング板と、該複数のパウチング板を貫通させて前記ロッカーの天板の直下中央に横設したハンガー吊り下げ棒と、前記ロッカーの他側面上方辺に形成した空気流出口と、該空気流出口から排気するための送風機と、を備え、前記複数のパウチング板には空気流入口から流入して空気流出口で排気される間の空気流を上下と共に前後に蛇行させるように開口部を設けたことを特徴とする物干しロッカー。
【考案の詳細な説明】
【技術分野】
【０００１】
本考案は、物干しロッカーに関するものであり、更に詳細には、一般家庭や、理美容店、飲食店等から配出される少量の洗濯物を乾燥させるものであり、屋内や屋外に設置して用いる物干しロッカーに関するものである。
【背景技術】
【０００２】
従来から、主として一般家庭から配出される洗濯物の乾燥は、洗濯機にて洗濯脱水をして天日乾燥を行うことが一般であったが、梅雨時等の湿度が高いときは室内外で乾燥させようとしてもなかなか乾燥しにくく、特に共働きのような留守がちの家庭では急な雨降りには対応できず、また、女性の下着等は外に干したくないものであり、更には、花粉症を患っている人は晴天でも外に干せないが実情である。
【０００３】
また、近年ではドラム式乾燥機や、洗濯機能と乾燥機能を併せ持つ機種が開発され市販されているが、乾燥に時間がかかったり、電気代がかかったりしており、また、洗濯した状態のまま乾燥させるためシワが残り、消費者のニーズを満足させるものでは無かった。
【０００４】
その為に、先に開示されている乾燥する衣類を収容できるロッカー様なものとして、乾燥庫８に送風する送風手段１１と、乾燥庫内の衣類を乾燥する乾燥手段１２と、送風手段と乾燥手段を経由した空気が乾燥庫に吹き出される吹き出し口１３を備えており、風速が速いゾーン１４と、風速が遅いゾーン１５を設けたもので、風速が速いことで、風速が速いゾーン内では、厚物の衣類にとって、重なり合った部分にも風を流すことができ、更に、衣類の繊維に含浸している水分をも乾燥してくれるもの（特許文献１参照）や、壁パネル、天井パネル、床防水パン等をユニットとして構成しフレームを用いて結合し、また、乾燥室内部にコンセントを設け、床防水パンに排水接続パンを取り付け家庭用除湿乾燥機の排水を直接排水出来るようにし、また、温度センサー付き排気ファン及び吸気口を付ける事により、乾燥室内部の温度上昇を防ぐもの（特許文献２参照）や、上昇流を吹き出す吹出し口１３及び下降流を吸い込む吸い込み口１２を備え、箱体１内の下部に位置して低湿空気流を循環させる除湿乾燥ユニット１０と、箱体１内に立設し上部に通気部５を備えた仕切り板４によって区画され、除湿乾燥ユニット１０の吹出し口１３より吹き出した低湿空気流が上昇して上部通気部５より流出する上昇風路を構成する第１の乾燥室６と、仕切り板４によって区画され、上部通気部５より流入した低湿空気流が下降して除湿乾燥ユニット１０の吸い込み口１２より吸い込まれる下降風路を構成する第２の乾燥室７とからなるもの（特許文献３参照）がある。
【特許文献１】特開２００１−３４７１００号公報
【特許文献２】特開２００４−２８３３８０号公報
【特許文献３】特開２００５−３２９１０４号公報
【考案の開示】
【考案が解決しようとする課題】
【０００５】
然し乍ら、特許文献１では、乾燥庫８に送風手段１１と、乾燥手段１２と、吹き出し口１３を備えており、風速が速いゾーン１４と、風速が遅いゾーン１５を設けたもので、風速が速いゾーン内では、厚物の衣類にとって、重なり合った部分にも風を流すことができるものであるが、洗濯物は冬と夏とでは厚みも違い、絶えず一定のものでないので使い勝手が疑問であり、特許文献２では、ユニット型組立式衣料乾燥室であり、温度センサー付き排気ファン及び吸気口を付ける事により、乾燥室内部の温度上昇を防ぐものあるが、空気流は単に通り抜けるのみのものであり、更に、特許文献３ものは、箱体１内に低湿空気流を循環させる除湿乾燥ユニット１０を備えて、上昇流と下降流を構成するものであるが、空気流は循環しているだけのもので効率的とは言えないものである。
【課題を解決するための手段】
【０００６】
本考案の物干しロッカーは、前述の課題に鑑み、鋭意研鑽の結果、ヒンジ部を介装したスイングドアを備えたロッカーにおいて、スイングドアの一側下方辺に形成した空気流入口と、空気流入口から流入する空気を加熱するために設けた加熱器と、仕切るように間隔を有して配設された複数のパウチング板と、複数のパウチング板を貫通させて横設したハンガー吊り下げ棒と、ロッカーの他側面上方辺に形成した空気流出口と、空気流出口に備えた送風機と、を備え、複数のパウチング板には空気流入口から流入して空気流出口で排気される間の空気流を上下と共に前後に蛇行させるように開口部を設けたものである。
【考案の効果】
【０００７】
本考案の物干しロッカーは、スイングドアを備えたロッカーに、空気流入口と、加熱器と、仕切るように配設された複数のパウチング板と、ハンガー吊り下げ棒と、空気流出口と、送風機とを備え、複数のパウチング板には空気流入口から流入して空気流出口で排気される間の空気流を上下と共に前後に蛇行させるように開口部を設けたことにより、空気流を高効率で利用して乾燥させることが可能であり、且つ、ハンガーに吊した状態で乾燥させることができシワができにくく、また、共働きのような家庭では夜寝るときにタイマーをセットすれば翌朝には乾燥しており、加えて、梅雨や湿気の多い日にもロッカーに吊すだけで乾燥でき、更には、深夜電力契約を利用することにより電気代も節約できるものであり、画期的で実用性の高い考案である。
【考案を実施するための最良の形態】
【０００８】
以下、本考案の物干しロッカーの実施例の図面によって具体的に説明すると、図１は本考案の物干しロッカーの実施例の内部の正面説明図であり、図２は本考案の物干しロッカーの実施例の内部の平面説明図であり、図３は本考案の物干しロッカーの実施例の正面図である。
【０００９】
本考案は、物干しロッカーに関するものであり、更に詳細には、一般家庭や、理美容店、飲食店等から配出される少量の洗濯物Ａを乾燥させるものであり、屋内や屋外に設置して用いる物干しロッカーに関するものであり、ヒンジ部２ａを介装したスイングドア２を前面に備えたロッカー１において、前記スイングドア２の一側下方辺に形成した空気流入口３と、該空気流入口３から流入する空気を加熱するために設けた加熱器４と、前記ロッカー１のスイングドア２と直交する縦方向に仕切るように間隔を有して配設された複数のパウチング板５と、該複数のパウチング板５を貫通させて前記ロッカー１の天板の直下中央に横設したハンガー吊り下げ棒６と、前記ロッカー１の他側面上方辺に形成した空気流出口７と、該空気流出口７から排気するための送風機８と、を備え、前記複数のパウチング板５には空気流入口３から流入して空気流出口７で排気される間の空気流を上下と共に前後に蛇行させるように開口部５ａを設けたことを特徴とするものである。
【実施例】
【００１０】
即ち、本考案の実施例の物干しロッカーのロッカー１は、汎用されているスチール製のロッカー１と同様なのもので、図１に図示のように、前面の両側の上下に夫々ヒンジ部２ａを介装して両開きのスイングドア２を備えたもので、サイズは限定するものではないが、略縦１８００ｍｍ、巾１０００ｍｍ、奥行き５５０ｍｍ程度のものが好適なものである。
【００１１】
そして、空気流入口３は、ロッカー１のスイングドア２の一側下方辺に形成しているもので、図示した実施例では、左側の下方辺に形成したものであり、風量調整用や異物の吸い込みを防止させるためにフィンやフィルター等を設けても構わないものである。
【００１２】
次に、加熱器４は、前記空気流入口３から流入する空気を加熱するための電熱器であるが、湿度の低い時や、乾燥が長時間かかっても構わない時は、使用する必要がないもので、後述する送風機８のみでも充分乾燥できるものである。
【００１３】
次いで、複数のパウチング板５は、ロッカー１のスイングドア２と直交する縦方向に、つまり、前後方向を仕切るように適宜な間隔を有して配設されているもので、実施例では、２枚のパウチング板５を用いて、３つのスペースを形設しているものであるが、少なくとも２枚のパウチング板５を備えるもので、その数は任意のものである。
【００１４】
更に、ハンガー吊り下げ棒６は、夫々洗濯物Ａを通したハンガーを多数吊り下げるためのもので、丸棒状でもハンガーのフックを挿通させるように孔を穿設した鍔状のものを突設したものでも良く、少なくともロッカー１の天板の直下中央に複数のパウチング板５を貫通させて横設したもので、図１に図示するように、上下方向の中央辺にもう一本併設して多数の洗濯物Ａを乾燥させるようにしても構わないものである。
【００１５】
更には、空気流出口７は、ロッカー１の他側面上方辺に形成したもので、前記空気流入口３から最も遠位置に設けることが好適なのもので、図示する実施例では、ロッカー１の左側の下方辺に形成した空気流入口３に対して右側面の上方辺に設けたものであり、空気流入口３と同様に風量調整用のフィン等を設けても構わないものである。
【００１６】
また、送風機８は、空気流出口７に備えロッカー１内の空気を排気するためのもので、空気流出口７の中に位置させたモーター駆動のファンであり、ロッカー１内の空気を排気することで内部に空気の流通を形成し、空気流入口３から外気を取り入れるものである。
【００１７】
そして、開口部５ａは、複数のパウチング板５に夫々開口させるもので、空気流入口３から流入して空気流出口７で排気される間の空気流を上下と共に前後に蛇行させるように設けたもので、つまり、図１と図２に図示する実施例ではパウチング板５を２枚備えて３つのスペースに仕切っており、空気流入口３に近い１枚目のパウチング板５では、上方の奥側に開口させ、２枚目のパウチング板５には下方の手前に開口させたもので、空気流を矢示するように、上下と共に前後にも蛇行させているものである。
【００１８】
本考案の実施例の物干しロッカー１は、屋内でも、風雨に余りさらされない屋外などに設置するもので、一般のロッカー１と同様に、スイングドア２を開いて、夫々洗濯物Ａを通した多数のハンガーをハンガー吊り下げ棒６に吊り下げ、送風機８を駆動させることにより、空気流入口３から取り入れた外気を空気流出口７で排気される間の空気流を蛇行させるものである。
【００１９】
そして、洗濯物Ａを短時間で乾燥させたいような場合は、加熱器４の電源を入れて流入してくる空気を昇温させるもので、送風機８や加熱器４の電源は商業電源から取り、湿度センサーやタイマー等を適宜介装させることで無駄な消費電力を使用しないものである。
【産業上の利用可能性】
【００２０】
本考案の物干しロッカーは、スイングドアと、空気流入口と、加熱器と、仕切るように配設された複数のパウチング板と、ハンガー吊り下げ棒と、空気流出口と、送風機とを備え、複数のパウチング板には空気流入口から流入して空気流出口で排気される間の空気流を上下と共に前後に蛇行させるように開口部を設けたことにより、一般家庭や、理美容店、飲食店等から配出される洗濯物を高効率で乾燥させることが可能であり、且つ、ハンガーに吊した状態で乾燥させることができシワを防ぎ、また、夜寝るときにタイマーをセットすれば翌朝には乾燥しており、梅雨や湿気の多い日にもロッカーに吊すだけで乾燥でき、更には、深夜電力契約を利用することにより電気代も節約できる物干しロッカーを提供するものである。
【図面の簡単な説明】
【００２１】
【図１】図１は本考案の物干しロッカーの実施例の内部の正面説明図である。
【図２】図２は本考案の物干しロッカーの実施例の内部の平面説明図である。
【図３】図３は本考案の物干しロッカーの実施例の正面図である。
【符号の説明】
【００２２】
Ａ      洗濯物
１      ロッカー
２      スイングドア
２ａ    ヒンジ部
３      空気流入口
４      加熱器
５      パウチング板
５ａ    開口部
６      ハンガー吊り下げ棒
７      空気流出口
８      送風機
【図１】
0003135087.tif 000003
【図２】
0003135087.tif 000004
【図３】
0003135087.tif 000005